(57)【要約】【課題】便座装置において、操作部は本体に付随していて固定されているものであり、車椅子のトイレ使用者が便座へ移乗する際に該操作部が邪魔になって移乗し難いという問題があった。さらに操作部表面が便座表面より数センチ高いことがより一層困難さを増加させるものであった。【解決手段】便座装置において、便座装置本体のハウジングの側面に付随して前記便座装置の操作部を備え、該操作部を前記本体に回動自在に連結するためのピン構造を備えた。【選択図】　図１
2004100190.tif 000002
【特許請求の範囲】
【請求項１】
便座装置本体のハウジングの側面に付随して前記便座装置の操作部を備え、該操作部を前記本体に回動自在に連結するためのピン構造を備えたことを特徴とする便座装置。
【請求項２】
前記ピン構造が、回り止め構造を有する筒部内に軸部を嵌挿し、該筒部と該軸部との間にスプリングを介装し、又は該筒部内に形成した内壁と回動部との摺接面間にオイルを充填して成り、又は該筒部の周面の一部を凹あるいは凸ませるとともに相対して該軸部の周面の一部を凸あるいは凹ませて成り、該軸部が円周方向に緩慢に回動するように構成したことを特徴とする請求項１記載の便座装置。
【請求項３】
前記ピン構造が、回り止め構造を有する筒部内に軸部を嵌挿し、前記軸部を電気的に回転させる駆動部と、前記筒部内に軸部の回動角度を検知するための検知センサを複数配設し、該検知センサの検知信号に応じて駆動部を制御する制御部を備えたことを特徴とする請求項１記載の便座装置。
【請求項４】
前記操作部の外郭に前記制御部へ信号を伝えるためのスィッチを配設したことを特徴とする請求項３記載の便座装置。
【請求項５】
前記操作部又は本体内に鳴動装置を設けたことを特徴とする請求項３〜４記載の便座装置。
【請求項６】
前記軸部内に、前記本体と前記操作部との通信を行う信号線を配設したことを特徴とする請求項１〜５記載の便座装置。
【発明の詳細な説明】
【０００１】
【発明の属する技術分野】
本発明は、局部洗浄機能や乾燥機能などを備えた便座装置において、本体に付随する袖部に前記機能を操作するための操作部を備えた便座装置に関するものである。
【０００２】
【従来の技術】
従来の便座装置は、トイレ使用者が用便後に局部を洗浄する際や、洗浄後に乾燥させる際など、操作部のスィッチを押下することにより、その機能が動作するようにしたものが知られおり、その操作部は袖部にあって、本体に付随して完全に固定されているものであった。（例えば、特許文献１参照。）
以下添付図で詳細に説明する。図１０は従来の便座装置の全体斜視図の一例で、図１１は図１０の操作部近傍の拡大図である。１は便座装置本体、２は操作部、３は便器、４は便座、５は便蓋を示している。従来から、局部洗浄機能や乾燥機能などを備えた便座装置においては、図１０、１１に示すように、本体１に付随して固定された袖部に操作部２が設けられている。トイレ使用者は便座４に着座したまま、右太もも近傍の操作部２を操作して使用するのであるが、その際、操作しやすいように操作部２の表面が便座４の表面より数センチ高いものがほとんどであった。
【０００３】
【特許文献１】
特開２００２−１４３０３７号公報（第７頁、第１図、第２図）
【０００４】
【発明が解決しようとする課題】
しかしながらこのような従来技術では、前記操作部は本体に付随していて固定されているものであり、車椅子のトイレ使用者が便座へ移乗する際に該操作部が邪魔になって移乗し難いという問題があった。さらに操作部表面が便座表面より数センチ高いことがより一層困難さを増加させるものであった。
本発明は、このような課題を解決すべくなされたもので、車椅子のトイレ使用者が便座へ移乗する際にも操作部が邪魔にならないような便座装置を提供することを目的とする。また、便座装置を清掃する際にも今まで清掃しづらかった部分にも容易に手が入れられるような使い勝手の良い便座装置を提供することを目的とする。
【０００５】
【課題を解決するための手段および作用・効果】
上記課題を解決するためになされた請求項第１項記載の発明は、便座装置において、便座装置本体のハウジングの側面に付随して前記便座装置の操作部を備え、該操作部を前記本体に回動自在に連結するためのピン構造を備えたことを特徴とする。
【０００６】
本発明においては、操作部が便座装置本体に回動自在に連結されているため、車椅子のトイレ使用者が便座へ移乗する際には、該操作部を回動させて邪魔にならない位置にすることが出来、使用者は容易に便座へ移乗することが可能となり、使い勝手の良い快適な便座装置を提供することが出来る。また、従来手が入れづらかった操作部と便座の間が容易に清掃可能となる。
【０００７】
請求項第２項記載の発明は、便座装置において、操作部を本体に回動自在に連結するピン構造が、回り止め構造を有する筒部内に軸部を嵌挿し、該筒部と該軸部との間にスプリングを介装し、又は該筒部内に形成した内壁と回動部との摺接面間にオイルを充填して成り、又は該筒部の周面の一部を凹あるいは凸ませるとともに相対して該軸部の周面の一部を凸あるいは凹ませて成り、該軸部が円周方向に緩慢に回動するように構成したことを特徴とする。
【０００８】
本発明においては、操作部を連結するピン構造が回り止め構造を有するとともに、スプリングあるいはオイルあるいは嵌め合わせにより軸部が緩慢に回動するようにしているため、操作部を垂直な位置に立てようとした場合でも行き過ぎることなく決められた位置に固定できるとともに、水平位置に戻そうとする際にも突然倒れたりせずに緩やかに決められた位置に戻すことができるため、車椅子のトイレ使用者が便座へ移乗する際に危険がなくなり、使い勝手の良い快適な便座装置を提供することが出来る。
【０００９】
請求項第３項記載の発明は、便座装置において、操作部を本体に回動自在に連結するピン構造が、回り止め構造を有する筒部内に軸部を嵌挿し、前記軸部を電気的に回転させる駆動部と、前記筒部内に軸部の回動角度を検知するための検知センサを複数配設し、該検知センサの検知信号に応じて駆動部を制御する制御部を備えたことを特徴とする。
【００１０】
本発明においては、操作部を連結するピン構造が回り止め構造を有するとともに、軸部を電気的に回転させることが出来るため、軽い力で回動させることや、回動し始めた後に自動で回動し続けたり、最適なスピードに設定することが可能となるだけでなく、操作部を垂直な位置に立てようとした場合でも行き過ぎることなく決められた位置に固定できるとともに、水平位置に戻そうとする際にも緩やかに決められた位置に戻すことができるため、車椅子のトイレ使用者が便座へ移乗する際に危険がなくなり、使い勝手の良い快適な便座装置を提供することが出来る。
【００１１】
請求項第４項記載の発明は、便座装置において、操作部の外郭に制御部への信号を伝えるためのスィッチを配設したことを特徴とする。
【００１２】
本発明においては、操作部の外郭に制御部への信号を伝えるためのスィッチを配設したことで、使用者がスィッチを押下するだけの簡単な操作をすることで操作部を自動で回動させることが可能になり、車椅子のトイレ使用者が便座へ移乗する際に、使い勝手の良い快適な便座装置を提供することが出来る。
【００１３】
請求項第５項記載の発明は、便座装置において、操作部又は本体内に鳴動装置を設けたことを特徴とする。
【００１４】
本発明においては、操作部又は本体内に鳴動装置を設けたことで、使用者が操作部を回動させ始めたり、スィッチを押下して操作部が自動で回動すると、回動していることの注意を喚起するために鳴動装置を働かせることが可能となるため、車椅子のトイレ使用者が便座へ移乗する際に危険がなくなり、使い勝手の良い快適な便座装置を提供することが出来る。
【００１５】
請求項第５項記載の発明は、操作部を連結する軸部内に、本体と操作部との通信を行う信号線を配設したことを特徴とする。
【００１６】
本発明においては、本体と操作部との通信を行う信号線が操作部を連結する軸部内に配設されているため、外部から配線が見えることなく見栄えの良い快適な便座装置を提供することが出来る。
【００１７】
【発明の実施の形態】
以下、本発明の実施の形態を、添付図面により詳細に説明する。
図１、２は本発明に係わる便座装置を横方向から見た図であり、１は便座装置本体、２は操作部、３は便器、４は便座、５は便蓋を表し、６は操作部２と本体１を連結するピン構造の筒部、７は軸部を表している。ここで、第１の実施例について説明すると、図１は操作部２が水平位置に配置してあり、通常の状態を表している。図２においては、使用者が操作部２を回動させた後、垂直の位置に立てた状態を表している。このようにして車椅子使用者が便座４に移乗する際には、操作部２を自在に回動させることが出来るため、邪魔な位置にあった操作部２の影響を受けることなく容易に移乗することが可能となり、使い勝手が向上するのである。また、清掃時においても、操作部２を邪魔にならないところまで動かすことが出来るため、使い勝手が向上するのである。
【００１８】
図３、図４は図２のＡ−Ａ’断面を矢印方向から見たピン構造を示す図であり、６は筒部、７は軸部、１２はスプリング、１３は操作部２の側壁、１４は便座装置本体１の側壁、１５はオイルを表す。
【００１９】
図５は便座装置を斜め上方から見た斜視図であり、Ｂ−Ｂ’断面を矢印方向から見た図を図６、７、に示す。図５〜７において２１ａ、２１ｂは筒部６に固定されている回り止めボス受け冶具、２２は軸部７に固定されている回り止めボスを表す。その他の記号については前出の通りであるため説明は省略する。ここで、第二の実施例について説明すると、図６において操作部２が水平位置にある場合、回り止めボス２２は軸部７の最下点の位置にあり、回り止めボス受け冶具２１ａで行き過ぎないよう固定されており、操作部２が垂直位置にある場合、回り止めボス２２は軸部７の最左９０度の位置にあり、回り止めボス受け冶具２１ｂで行き過ぎないよう固定され、回り止め構造となっているのである。
【００２０】
図３で示すようにスプリング１２は筒部６と軸部７との間で抵抗体としてコイル状に形成され、相互に円周方向への回転トルクを吸収し得るように構成している。更に軸部７は操作部２の側壁に固定され、筒部６は便座装置本体１の側壁に固定されている。このため、例えば操作部２を垂直位置から水平位置に戻す際には、操作部２の自重で下方向へ戻ろうとする力をこのスプリング１２による抵抗で釣り合わせて緩やかに回動させるようにすることが可能となり、先に説明した回り止め構造とあわせて、使い勝手の良い安全な装置が得られることになるのである。
【００２１】
また、スプリング１２の代わりに、抵抗体としてオイルを用いても良い。図４で示すように筒部６内で軸部７はごく狭い間隔で配設されており、その摺接面間にグリース等の粘性の高いオイル１５が抵抗体として充填され、相互に円周方向への回転トルクを吸収し得るように構成している。図３と同様に軸部７は操作部２の側壁に固定され、筒部６は便座装置本体１の側壁に固定されており、この場合スプリングの時と同様あるいはそれ以上に滑らかな動作が得られることになるため、より使い勝手の良い安全な装置が得られることになるのである。
【００２２】
次に第三の実施例について説明する。図８は、図５のＢ−Ｂ’断面を矢印方向から見た図であり、２３は制御部、２４ａ〜２４ｈは検知センサ、２５は駆動部を示す。図において操作部２が水平位置から垂直位置へ回動させられ始めた時、軸部７の凸部に備えられた回り止めボス２２は、筒部６の凹部に沿って検知センサ２４ａと２４ｂの間の位置から２４ｂと２４ｃの間、更には２４ｃと２４ｄの間と移動して行くことになる。このように操作部２の現在の位置が検知センサ２４にて確実に把握できるため、回動始めはゆっくり、途中は早く、終わりはゆっくりなどと動きに合わせて最適なスピードに設定することが出来る。また、電気的な駆動部を備えているため、検知センサ２４で回動し始めたことが判れば、その後は使用者が手を触れなくても自動で稼動させるということも容易に設定することが出来る。
更には、操作部２が回動中に障害物に当たるなど何らかの理由で回動しなくなった場合でも、
そのことを検知センサ２４で検知して、安全に止めるあるいは、元に戻すなどの処置が取れるようになり、きわめて使い勝手の良い装置が得られることになるのである。
【００２３】
図９は、第四の実施例を示す便座装置の斜視図で３１はスイッチ、３２は鳴動装置、３３は信号線を示す。使用者が操作部２を可動させるためにスィッチ３１を押下すると、図８で示した制御部２３が駆動部２５を駆動させて、操作部２が水平位置から垂直位置へ回動することになる。駆動している間、鳴動装置３２は操作部２が可動していることを周囲に報知するためにブザー音を鳴らし注意を促すことが出来るため、安全で使い勝手の良い装置が得られることになるのである。ここで、鳴動装置は音声情報を発声する物でもよい。また、鳴動装置は操作部２内部でなく、便座装置本体１内部にあってもよい。更に、スィッチ３１は操作部２を回動させるだけのために備えておく必要はなく、その他の既存のスィッチを組み合わせるなどの方法でもよい。
【００２４】
次に第五の実施例を説明する。図９において、本体と操作部との通信を行う信号線３３が操作部２と便座装置本体１を接続するピン構造の筒部６内部の軸部７内に配設されている。このようにすることで操作部２が回動自在に便座装置本体１に連結されているだけでなく、信号線３３を露出することなく配設可能になっているため、きわめて見栄えの良い装置が得られることになるのである。
【００２５】
以上のように図面に基づいて実施例を説明して来たが、本発明がこの例に限定されないことは言うまでもない。
【図面の簡単な説明】
【図１】本発明の便座装置を横方向から見た図である。（操作部が水平位置）
【図２】本発明の便座装置を横方向から見た図である。（操作部が垂直位置）
【図３】図２のＡ−Ａ’線におけるピン構造の断面図の一例である。
【図４】図２のＡ−Ａ’線におけるピン構造の断面図の一例である。
【図５】本発明の便座装置を斜め上方から見た斜視図である。
【図６】図５のＢ−Ｂ’線におけるピン構造の断面図の一例である。（操作部が水平位置）
【図７】図５のＢ−Ｂ’線におけるピン構造の断面図の一例である。（操作部が垂直位置）
【図８】図５のＢ−Ｂ’線におけるピン構造の断面図の一例である。（操作部が水平位置）
【図９】本発明の便座装置の操作部、連結部拡大図である。
【図１０】従来の便座装置の全体斜視図である。
【図１１】従来の便座装置の操作部近傍拡大図である。
【符号の説明】
１…便座装置本体、２…操作部、３…便器、４…便座、５…便蓋、６…筒部、７…軸部、１２…スプリング、１３…操作部側壁、１４…便座装置本体側壁、１５…オイル、２１ａ、２１ｂ…回り止めボス受け冶具、２２…回り止めボス、２３…制御部、２４ａ〜２４ｈ…検知センサ、２５…軸部の駆動部、３１…スィッチ、３２…鳴動装置、３３…信号線
【図１】
2004100190.tif 000003
【図２】
2004100190.tif 000004
【図３】
2004100190.tif 000005
【図４】
2004100190.tif 000006
【図５】
2004100190.tif 000007
【図６】
2004100190.tif 000008
【図７】
2004100190.tif 000009
【図８】
2004100190.tif 000010
【図９】
2004100190.tif 000011
【図１０】
2004100190.tif 000012
【図１１】
2004100190.tif 000013